(57)【要約】【課題】マイクロホンをどのような向きに設置した場合でも、４チャンネルのＡフォーマット信号が、正しい位置関係のＢフォーマット信号Ｗ、Ｘ、Ｙ、Ｚに変換される。【解決手段】アンビソニックスに用いられるＡフォーマット信号を生成するためのマイクロホンであって、マイクロホンの本体と、互いに異なる収音方向を向いて前記本体に設けられ、Ａフォーマット信号の要素となる第１信号をそれぞれ出力する第１〜第４マイク素子１１〜１４と、本体の変位を検出し、本体の位置に関する情報を出力する６軸センサー２５と、を含む。【選択図】図８
2020057987.tif 000002
【特許請求の範囲】
【請求項１】
アンビソニックスに用いられるＡフォーマット信号を生成するためのマイクロホンであって、
前記マイクロホンの本体と、
互いに異なる収音方向を向いて前記本体に設けられ、前記Ａフォーマット信号の要素となる第１信号をそれぞれ出力する第１〜第４マイク素子と、
前記本体の変位を検出し、前記本体の位置に関する情報を出力する１つ以上のセンサーと、を含むマイクロホン。
【請求項２】
前記センサーが、前記本体の前後方向、左右方向及び上下方向の変位を検出することが可能な加速度センサーであり、前記本体の水平方向及び垂直方向の角度情報を出力する請求項１に記載のマイクロホン。
【請求項３】
前記センサーが、前記本体の回転を検出することが可能なジャイロセンサーをさらに含み、回転方向の角度情報を出力する請求項２に記載のマイクロホン。
【請求項４】
請求項１に記載のマイクロホンにより生成された前記Ａフォーマット信号をＢフォーマット信号に変換するためのＡ／Ｂフォーマット変換ソフトウェアであって、
前記センサーから出力される前記本体の位置に関する情報に基づいて、前記第１〜第４マイク素子のそれぞれの収音方向を判別する処理と、
前記第１〜第４マイク素子のそれぞれの収音方向に基づいて、前記Ａフォーマット信号を前記Ｂフォーマット信号に変換するための数式を選択する処理と、
前記数式に基づいて、前記第１〜第４マイク素子のそれぞれから出力された前記第１信号を加減算し、前記Ｂフォーマット信号の要素となる複数の第２信号に変換する処理と、
をプロセッサに実行させるＡ／Ｂフォーマット変換ソフトウェア。
【請求項５】
アンビソニックスに用いられるＡフォーマット信号及び／又はＢフォーマット信号のデータを記録するためのレコーダーであって、
請求項１に記載のマイクロホンと、
請求項４に記載のＡ／Ｂフォーマット変換ソフトウェアと、
前記Ａ／Ｂフォーマット変換ソフトウェアの処理を実行するためのプロセッサと、
前記Ａフォーマット信号及び／又は前記Ｂフォーマット信号のデータを記録するためのメモリーと、を含み、
前記センサーから出力される前記本体の位置に関する情報が、前記Ａフォーマット信号及び／又は前記Ｂフォーマット信号のデータのメタデータとして、前記メモリーに記録されるレコーダー。
【請求項６】
Ａフォーマット又はＢフォーマットの種別情報が、前記Ａフォーマット信号又は前記Ｂフォーマット信号のデータのメタデータとして、前記メモリーに記録される請求項５に記載のレコーダー。
【請求項７】
画像表示装置をさらに含み、
前記プロセッサは、前記センサーから出力される前記本体の位置に関する情報に基づいて、前記本体の水平度及び／又は垂直度を示す画像を前記画像表示装置に表示させる請求項５に記載のレコーダー。
【請求項８】
前記Ｂフォーマット信号をステレオ信号に変換するためのＢフォーマット／ステレオ変換ソフトウェアをさらに含み、
前記Ｂフォーマット／ステレオ変換ソフトウェアは、
前記センサーから出力される前記本体の位置に関する情報に基づいて、前記Ｂフォーマット信号の要素となる複数の前記第２信号のそれぞれの信号レベルを変更させる処理と、
信号レベルが変更された複数の前記第２信号を合成して、前記ステレオ信号の要素となる２つの第３信号に変換する処理と、
をプロセッサに実行させる請求項５に記載のレコーダー。
【請求項９】
請求項５に記載のレコーダーによって記録された前記Ｂフォーマット信号のデータを、モバイルデバイスによって再生するための再生ソフトウェアであって、
前記再生ソフトウェアは、前記Ｂフォーマット信号をステレオ信号に変換するためのＢフォーマット／ステレオ変換ソフトウェアを含み、
前記Ｂフォーマット／ステレオ変換ソフトウェアは、
前記モバイルデバイスのセンサーから出力されるモバイルデバイス本体の位置に関する情報に基づいて、前記Ｂフォーマット信号の要素となる複数の前記第２信号のそれぞれの信号レベルを変更させる処理と、
信号レベルが変更された複数の前記第２信号を合成して、前記ステレオ信号の要素となる２つの第３信号に変換する処理と、
を前記モバイルデバイスのプロセッサに実行させる再生ソフトウェア。
【請求項１０】
請求項５に記載のレコーダーによって記録された前記Ａフォーマット信号のデータを、モバイルデバイスによって再生するための再生ソフトウェアであって、
前記再生ソフトウェアは、
前記Ａフォーマット信号をＢフォーマット信号に変換するためのＡ／Ｂフォーマット変換ソフトウェアと、
前記Ｂフォーマット信号をステレオ信号に変換するためのＢフォーマット／ステレオ変換ソフトウェアと、を含み、
前記Ａ／Ｂフォーマット変換ソフトウェアは、メタデータとして前記メモリーに記録された前記位置に関する情報に基づいて、前記第１〜第４マイク素子のそれぞれの収音方向を判別する処理を、前記モバイルデバイスのプロセッサに実行させ、
前記Ｂフォーマット／ステレオ変換ソフトウェアは、前記モバイルデバイスのセンサーから出力されるモバイルデバイス本体の位置に関する情報に基づいて、前記Ｂフォーマット信号の要素となる複数の前記第２信号のそれぞれの信号レベルを変更させ、信号レベルが変更された複数の前記第２信号を合成して、前記ステレオ信号の要素となる２つの第３信号に変換する処理を、前記モバイルデバイスのプロセッサに実行させる再生ソフトウェア。
【発明の詳細な説明】
【技術分野】
【０００１】
本発明は、アンビソニックスのためのマイクロホン、Ａ／Ｂフォーマット変換ソフトウェア、レコーダー、再生ソフトウェアに関する。
【背景技術】
【０００２】
アンビソニックスとは、全周３６０°で空間の音全体を録音し、これを再現する技術である。アンビソニックスは、前後方向、左右方向、上下方向の音を含む空間音響（Spatial Audio）を提供することが可能である。近年のＶＲ（virtual reality）技術の普及により、アンビソニックスは、３６０°映像の音声に用いられる。
【０００３】
アンビソニックスの原理について、図１〜図３を参照しつつ説明する。図１Ａは、アンビソニックスに用いられるマイクロホン１０を示す。マイクロホン１０は、第１〜第４マイク素子１１〜１４を備える。第１〜第４マイク素子１１〜１４は、図中の１点鎖線で示される立方体の４つの頂点を向いて設けられている。図１Ｂは、第１〜第４マイク素子１１〜１４の向きを示す。第１マイク素子１１は、マイクロホン１０の前方左上（ＦＬＵ）を向く。第２マイク素子１２は、マイクロホン１０の前方右下（ＦＲＤ）を向く。第３マイク素子１３は、マイクロホン１０の後方左下（ＢＬＤ）を向く。第４マイク素子１４は、マイクロホン１０の後方右上（ＢＲＵ）を向く。
【０００４】
第１〜第４マイク素子１１〜１４は、ＦＬＵ、ＦＲＤ、ＢＬＤ、ＢＲＵの４方向の音を収集する。ＦＬＵ、ＦＲＤ、ＢＬＤ、ＢＲＵの４方向の音の信号は、「Ａフォーマット信号」と呼ばれる。Ａフォーマット信号は、そのままでは使用することができず、図２に示されるような指向特性を有する「Ｂフォーマット信号」に変換される。Ｂフォーマット信号は、全方向の音の信号Ｗ、前後方向の音の信号Ｘ、左右方向の音の信号Ｙ、上下方向の音の信号Ｚからなる。
【０００５】
Ａフォーマット信号は、下記式（１）〜（４）によって、Ｂフォーマット信号Ｗ、Ｘ、Ｙ、Ｚに変換される。
【０００６】
Ｗ＝ＦＬＵ＋ＦＲＤ＋ＢＬＤ＋ＢＲＵ・・・（１）
Ｘ＝ＦＬＵ＋ＦＲＤ−ＢＬＤ−ＢＲＵ・・・（２）
Ｙ＝ＦＬＵ−ＦＲＤ＋ＢＬＤ−ＢＲＵ・・・（３）
Ｚ＝ＦＬＵ−ＦＲＤ−ＢＬＤ＋ＢＲＵ・・・（４）
【０００７】
但し、Ｗ：全方向の音の信号、Ｘ：前後方向の音の信号、Ｙ：左右方向の音の信号、Ｚ：上下方向の音の信号、ＦＬＵ：前方左上の音の信号、ＦＲＤ：前方右下の音の信号、ＢＬＤ：後方左下の音の信号、ＢＲＵ：後方右上の音の信号
【０００８】
Ｂフォーマット信号Ｗ、Ｘ、Ｙ、Ｚを合成することにより、前後、左右、上下の全方位の音の信号が得られる。例えば、図３Ａは、Ｗ、Ｘを合成した場合の指向特性を示す。図３Ｂは、Ｗ、Ｘ、Ｙを合成した場合の指向特性を示す。図３Ｂに示されるように、Ｗ、Ｘ、Ｙを同一の信号レベルで合成すると、「前方左４５°」の指向特性を有する音の信号が生成される。そして、Ｂフォーマット信号Ｗ、Ｘ、Ｙ、Ｚのそれぞれの信号レベルを変更させて合成することにより、前後、左右、上下の全方位のうちの任意の指向特性を有する音の信号を生成することができる。したがって、録音されたＢフォーマット信号Ｗ、Ｘ、Ｙ、Ｚのデータに基づいて、再生される音の定位を自由に変更することが可能となる。このようなアンビソニックスを３６０°映像の音声に用いれば、ユーザーの頭部の向きに応じて、再生される音の定位を変更することができる。
【先行技術文献】
【特許文献】
【０００９】
【特許文献１】特表２０１４−５３５２３２号公報
【特許文献２】特表２０１４−５３５２３１号公報
【発明の概要】
【発明が解決しようとする課題】
【００１０】
図１Ａに示されるマイクロホン１０は、第１〜第４マイク素子１１〜１４が設けられた本体（図示せず）の向きが定められていた。例えば、マイクロホン１０は、本体の「前」及び「上」が定められており、本体には「前」及び「上」を示す表示が印刷される。本体の「前」及び「上」を示す表示が、実際の前方向及び上方向と一致することにより、第１〜第４マイク素子１１〜１４の向きが、図１Ｂに示されるＦＬＵ、ＦＲＤ、ＢＬＤ、ＢＲＵと一致する。
【００１１】
一方、図４は、一般的なマイクロホンの設置方法を示す。図４に示されるように、マイクロホン１０は、録音の際に「Upright」、「Endfire」及び「Upside Down」のいずれかの向きに設置される。
【００１２】
図５Ａに示されるように、マイクロホン１０が「Upright」の向きに設置された場合は、本体の「前」及び「上」が、実際の前方及び上方と一致する。この結果、第１〜第４マイク素子１１〜１４の向きが、ＦＬＵ、ＦＲＤ、ＢＬＤ、ＢＲＵと一致する。すなわち、第１マイク素子１１が前方左上（ＦＬＵ）を向く。第２マイク素子１２が前方右下（ＦＲＤ）を向く。第３マイク素子１３が後方左下（ＢＬＤ）を向く。第４マイク素子１４が後方右上（ＢＲＵ）を向く。したがって、第１〜第４マイク素子１１〜１４によって収集された４つの信号（Ａフォーマット信号）のそれぞれは、上記式（１）〜（４）のＦＬＵ、ＦＲＤ、ＢＲＵ、ＢＬＤに正しく対応づけられ、正しい位置関係のＢフォーマット信号Ｗ、Ｘ、Ｙ、Ｚに変換される。
【００１３】
しかし、マイクロホン１０が「Upright」以外の向き、例えば、「Endfire」又は「Upside Down」の向きに設置された場合は、本体の「前」及び「上」が実際の前方向及び上方向と不一致になる。この結果、図５Ｂ、図５Ｃに示されるように、第１〜第４マイク素子１１〜１４の向きが、ＦＬＵ、ＦＲＤ、ＢＬＤ、ＢＲＵと不一致になる。
【００１４】
図５Ｂに示されるように、マイクロホン１０が「Endfire」の向きに設置された場合、第１〜第４マイク素子１１〜１４は、ＦＬＵ、ＦＲＤ、ＢＬＤ、ＢＲＵを向かない。すなわち、第１マイク素子１１は前方左下（ＦＬＤ）を向く。第２マイク素子１２は後方右下（ＢＲＤ）を向く。第３マイク素子１３は後方左上（ＢＬＵ）を向く。第４マイク素子１４は前方右上（ＦＲＵ）を向く。このため、マイクロホン１０が「Endfire」の向きに設置された場合は、上記式（１）〜（４）を下記式（５）〜（８）に置き換えて、Ａフォーマット信号（ＦＬＤ、ＢＲＤ、ＢＬＵ、ＦＲＵ）をＢフォーマット信号Ｗ、Ｘ、Ｙ、Ｚに変換しなければならない。
【００１５】
Ｗ＝ＦＬＤ＋ＢＲＤ＋ＢＬＵ＋ＦＲＵ・・・（５）
Ｘ＝ＦＬＤ−ＢＲＤ−ＢＬＵ＋ＦＲＵ・・・（６）
Ｙ＝ＦＬＤ−ＢＲＤ＋ＢＬＵ−ＦＲＵ・・・（７）
Ｚ＝−ＦＬＤ−ＢＲＤ＋ＢＬＵ＋ＦＲＵ・・・（８）
【００１６】
但し、Ｗ：全方向の音の信号、Ｘ：前後方向の音の信号、Ｙ：左右方向の音の信号、Ｚ：上下方向の音の信号、ＦＬＤ：前方左下の音の信号、ＢＲＤ：後方右下の音の信号、ＢＬＵ：後方左上の音の信号、ＦＲＵ：前方右上の音の信号
【００１７】
図５Ｃに示されるように、マイクロホン１０が「Upside Down」の向きに設置された場合、第１〜第４マイク素子１１〜１４の向きは、ＦＬＵ、ＦＲＤ、ＢＬＤ、ＢＲＵと不一致になる。すなわち、第１マイク素子１１は前方右下（ＦＲＤ）を向く。第２マイク素子１２は前方左上（ＦＬＵ）を向く。第３マイク素子１３は後方左上（ＢＲＵ）を向く。第４マイク素子１４は前方右上（ＢＬＤ）を向く。第１〜第４マイク素子１１〜１４の向き（ＦＲＤ、ＦＬＵ、ＢＲＵ、ＢＬＤ）が、上記式（１）〜（４）のＦＬＵ、ＦＲＤ、ＢＬＤ、ＢＲＵに正しく対応していなければ、第１〜第４マイク素子１１〜１４によって収集されたＡフォーマット信号を、正しい位置関係のＢフォーマット信号Ｗ、Ｘ、Ｙ、Ｚに変換することはできない。
【００１８】
さらに、マイクロホン１０は、所定の角度に傾けて設置される場合がある。この場合も、第１〜第４マイク素子１１〜１４の向きは、ＦＬＵ、ＦＲＤ、ＢＬＤ、ＢＲＵと不一致になる。
【００１９】
以上のように、第１〜第４マイク素子１１〜１４によって収集されたＡフォーマット信号を、正しい位置関係のＢフォーマット信号Ｗ、Ｘ、Ｙ、Ｚに変換するためには、録音時におけるマイクロホン１０の設置状態を考慮した演算処理を行わなければならない。このため、ユーザーは、録音時におけるマイクロホン１０の設置状態を記録しなければならなかった。さらに、ユーザーは、Ａ／Ｂフォーマット変換ソフトウェアによって、録音されたＡフォーマット信号をＢフォーマット信号Ｗ、Ｘ、Ｙ、Ｚに変換する際に、マイクロホン１０の設置状態に関する情報をコンピュータに入力しなければならなかった。
【００２０】
本発明は、上記問題点に鑑みてなされたものであり、マイクロホンをどのような向きに設置した場合でも、第１〜第４マイク素子によって収集された４チャンネルのＡフォーマット信号を、正しい位置関係のＢフォーマット信号Ｗ、Ｘ、Ｙ、Ｚに変換することが可能なマイクロホン、Ａ／Ｂフォーマット変換ソフトウェア、レコーダー、再生ソフトウェアを提供することを目的とする。
【課題を解決するための手段】
【００２１】
（Ａ）上記目的を達成するために、本発明のマイクロホンは、アンビソニックスに用いられるＡフォーマット信号を生成するためのマイクロホンであって、前記マイクロホンの本体と、互いに異なる収音方向を向いて前記本体に設けられ、前記Ａフォーマット信号の要素となる第１信号をそれぞれ出力する第１〜第４マイク素子と、前記本体の変位を検出し、前記本体の位置に関する情報を出力する１つ以上のセンサーと、を含む。
【００２２】
（Ｂ）好ましくは、上記（Ａ）のマイクロホンにおいて、前記センサーが、前記本体の前後方向、左右方向及び上下方向の変位を検出することが可能な加速度センサーであり、前記本体の水平方向及び垂直方向の角度情報を出力する。
【００２３】
（Ｃ）好ましくは、上記（Ｂ）のマイクロホンにおいて、前記センサーが、前記本体の回転を検出することが可能なジャイロセンサーをさらに含み、回転方向の角度情報を出力する。
【００２４】
（Ｄ）上記目的を達成するために、本発明のＡ／Ｂフォーマット変換ソフトウェアは、上記（Ａ）のマイクロホンにより生成された前記Ａフォーマット信号をＢフォーマット信号に変換するためのＡ／Ｂフォーマット変換ソフトウェアであって、前記センサーから出力される前記本体の位置に関する情報に基づいて、前記第１〜第４マイク素子のそれぞれの収音方向を判別する処理と、前記第１〜第４マイク素子のそれぞれの収音方向に基づいて、前記Ａフォーマット信号を前記Ｂフォーマット信号に変換するための数式を選択する処理と、前記数式に基づいて、前記第１〜第４マイク素子のそれぞれから出力された前記第１信号を加減算し、前記Ｂフォーマット信号の要素となる複数の第２信号に変換する処理と、をプロセッサに実行させる。
【００２５】
（Ｅ）上記目的を達成するために、本発明のレコーダーは、アンビソニックスに用いられるＡフォーマット信号及び／又はＢフォーマット信号のデータを記録するためのレコーダーであって、上記（Ａ）のマイクロホンと、上記（Ｄ）のＡ／Ｂフォーマット変換ソフトウェアと、前記Ａ／Ｂフォーマット変換ソフトウェアの処理を実行するためのプロセッサと、前記Ａフォーマット信号及び／又は前記Ｂフォーマット信号のデータを記録するためのメモリーと、を含み、前記センサーから出力される前記本体の位置に関する情報が、前記Ａフォーマット信号及び／又は前記Ｂフォーマット信号のデータのメタデータとして、前記メモリーに記録される。
【００２６】
（Ｆ）好ましくは、上記（Ｅ）のレコーダーにおいて、Ａフォーマット又はＢフォーマットの種別情報が、前記Ａフォーマット信号又は前記Ｂフォーマット信号のデータのメタデータとして、前記メモリーに記録される。
【００２７】
（Ｇ）好ましくは、上記（Ｅ）のレコーダーにおいて、画像表示装置をさらに含み、前記プロセッサは、前記センサーから出力される前記本体の位置に関する情報に基づいて、前記本体の水平度及び／又は垂直度を示す画像を前記画像表示装置に表示させる。
【００２８】
（Ｈ）好ましくは、上記（Ｅ）のレコーダーにおいて、前記Ｂフォーマット信号をステレオ信号に変換するためのＢフォーマット／ステレオ変換ソフトウェアをさらに含み、前記Ｂフォーマット／ステレオ変換ソフトウェアは、前記センサーから出力される前記本体の位置に関する情報に基づいて、前記Ｂフォーマット信号の要素となる複数の前記第２信号のそれぞれの信号レベルを変更させる処理と、信号レベルが変更された前記複数の前記第２信号を合成して、前記ステレオ信号の要素となる２つの第３信号に変換する処理と、をプロセッサに実行させる。
【００２９】
（Ｉ）上記目的を達成するために、本発明の再生ソフトウェアは、上記（Ｅ）のレコーダーによって記録された前記Ｂフォーマット信号のデータを、モバイルデバイスによって再生するための再生ソフトウェアであって、前記再生ソフトウェアは、前記Ｂフォーマット信号をステレオ信号に変換するためのＢフォーマット／ステレオ変換ソフトウェアを含み、前記Ｂフォーマット／ステレオ変換ソフトウェアは、前記モバイルデバイスのセンサーから出力されるモバイルデバイス本体の位置に関する情報に基づいて、前記Ｂフォーマット信号の要素となる複数の前記第２信号のそれぞれの信号レベルを変更させる処理と、信号レベルが変更された複数の前記第２信号を合成して、前記ステレオ信号の要素となる２つの第３信号に変換する処理と、を前記モバイルデバイスのプロセッサに実行させる。
【００３０】
（Ｊ）上記（Ｅ）のレコーダーによって記録された前記Ａフォーマット信号のデータを、モバイルデバイスによって再生するための再生ソフトウェアであって、前記再生ソフトウェアは、前記Ａフォーマット信号をＢフォーマット信号に変換するためのＡ／Ｂフォーマット変換ソフトウェアと、前記Ｂフォーマット信号をステレオ信号に変換するためのＢフォーマット／ステレオ変換ソフトウェアと、を含み、前記Ａ／Ｂフォーマット変換ソフトウェアは、メタデータとして前記メモリーに記録された前記位置に関する情報に基づいて、前記第１〜第４マイク素子のそれぞれの収音方向を判別する処理を、前記モバイルデバイスのプロセッサに実行させ、前記Ｂフォーマット／ステレオ変換ソフトウェアは、前記モバイルデバイスのセンサーから出力されるモバイルデバイス本体の位置に関する情報に基づいて、前記Ｂフォーマット信号の要素となる複数の前記第２信号のそれぞれの信号レベルを変更させ、信号レベルが変更された複数の前記第２信号を合成して、前記ステレオ信号の要素となる２つの第３信号に変換する処理を、前記モバイルデバイスのプロセッサに実行させる。
【発明の効果】
【００３１】
本発明のマイクロホン、Ａ／Ｂフォーマット変換ソフトウェア、レコーダー、再生ソフトウェアによれば、マイクロホンをどのような向きに設置した場合でも、第１〜第４マイク素子によって収集されたＡフォーマット信号を、正しい位置関係のＢフォーマット信号Ｗ、Ｘ、Ｙ、Ｚに変換することが可能となる。
【図面の簡単な説明】
【００３２】
【図１】図１Ａはアンビソニックスに用いられるマイクロホンを示す斜視図である。図１Ｂは前記マイクロホンを構成する第１〜第４マイク素子の向きを示す概念図である。
【図２】図２はＢフォーマット信号Ｗ、Ｘ、Ｙ、Ｚの指向特性を示す概念図である。
【図３】図３ＡはＢフォーマット信号Ｗ、Ｘを合成した場合の指向特性を示す概念図である。図３ＢはＢフォーマット信号Ｗ、Ｘ、Ｙを合成した場合の指向特性を示す概念図である。
【図４】図４は一般的なマイクロホンの設置方法である「Upright」、「Endfire」及び「Upside Down」を示す概略図である。
【図５】図５Ａは図１Ａのマイクロホンを「Upright」の向きに設置した場合における第１〜第４マイク素子の向きを示す概念図である。図５Ｂは図１Ａのマイクロホンを「Endfire」の向きに設置した場合における第１〜第４マイク素子の向きを示す概念図である。図５Ｃは図１Ａのマイクロホンを「Upside Down」の向きに設置した場合における第１〜第４マイク素子の向きを示す概念図である。
【図６】図６Ａ〜図６Ｄは、いずれも本発明の実施形態に係るレコーダーを示す図面である。図６Ａは正面図、図６Ｂは背面図、図６Ｃは左側面図、図６Ｄは右側面である。
【図７】図７Ａは前記レコーダーの平面図、図７Ｂは前記レコーダーの底面図である。
【図８】図８は前記レコーダーの録音のための構成を示すブロック図である。
【図９】図９は前記レコーダーの再生のための構成を示すブロック図である。
【発明を実施するための形態】
【００３３】
以下、本発明のマイクロホン、Ａ／Ｂフォーマット変換ソフトウェア、再生ソフトウェアを含むレコーダーの実施形態について、図面を参照しつつ説明する。
【００３４】
＜外部構造＞
本実施形態のレコーダー１の外観は、図６及び図７の６面図に示される。レコーダー１は、正面（図６Ａ）、背面（図６Ｂ）、左側面（図６Ｃ）、右側面（図６Ｄ）、平面（図７Ａ）、底面（図７Ｂ）が定められている。
【００３５】
レコーダー１は、マイクロホン１０と本体２０とを含む。マイクロホン１０は、図１Ａと同一であり、第１〜第４マイク素子１１〜１４を備えた構成となっている。第１〜第４マイク素子１１〜１４のそれぞれは、レコーダー１の前後、左右及び上下を基準にして、図１Ｂに示すＦＬＵ、ＦＲＤ、ＢＲＵ、ＢＬＤを向くように、本体２０の上部に固定されている。第１〜第４マイク素子１１〜１４は、金属製のプロテクター１５によって衝突から保護される。
【００３６】
図６Ａに示されるように、本体２０の正面には、ＲＥＣ  ＬＥＤ２０１Ａ及びＲＥＭＯＴＥ端子２１５が設けられている。ＲＥＣ  ＬＥＤ２０１Ａは、レコーダー１が録音中のときに点灯し、録音が一時停止されたときに低速で点滅する。さらに、ＲＥＣ  ＬＥＤ２０１Ａは、入力された信号レベルが閾値を超えたときに高速で点滅する。
【００３７】
一方、ＲＥＭＯＴＥ端子２１５には、図示しない無線アダプター、例えば、Ｂｌｕｅｔｏｏｔｈ（登録商標）アダプターが電気的に接続される。レコーダー１は、無線アダプターを介して、図示しないスマートフォン、タブレットＰＣ、ノートＰＣ及びデスクトップＰＣ等と無線通信が可能となる。ユーザーは、スマートフォン等を用いて、レコーダー１を遠隔操作することができる。さらに、レコーダー１は、無線アダプターを介して、図８及び図９に示されるヘッドホン３０に音声信号を出力することが可能である。
【００３８】
図６Ｂに示されるように、本体２０の背面には、ＲＥＣ  ＬＥＤ２０１Ｂ、ディスプレイ２０２、ＲＥＣキー２０３、ＳＴＯＰ／ＨＯＭＥキー２０４、ＲＥＷ／選択キー２０５、ＰＬＡＹ／ＰＡＵＳＥ／ＥＮＴＥＲキー２０６、ＦＦ／選択キー２０７、ＭＥＮＵキー２０８、電源／ＨＯＬＤスイッチ２０９が設けられている。
【００３９】
ＲＥＣ  ＬＥＤ２０１Ｂは、図６Ａに示されるＲＥＣ  ＬＥＤ２０１Ａと同一の機能を有する。ユーザーは、レコーダー１を操作しながら、ＲＥＣ  ＬＥＤ２０１Ｂによって録音の状態を確認することができる。
【００４０】
ディスプレイ２０２は、レコーダー１に関する各種情報を表示する。ディスプレイ２０２に表示される情報の具体例を、図８及び図９に示す。図８に示されるように、ディスプレイ２０２は、レコーダー１が録音中のときに、録音時間、Ａ又はＢフォーマット信号の信号レベル、本体１０の水平度及び垂直度に関する情報を表示する。一方、図９に示されるように、ディスプレイ２０２は、レコーダー１が再生中のときに、再生時間、本体１０の水平度、垂直度及び回転に関する情報を表示する。
【００４１】
ＲＥＣキー２０３は、録音を開始させるために操作される。ＳＴＯＰ／ＨＯＭＥキー２０４は、録音又は再生を停止させるため、及びディスプレイ２０２にホーム画面を表示させるために操作される。ＲＥＷ／選択キー２０５は、ファイルの再生位置を早戻しするため、及びディスプレイ２０２に表示される項目を選択するために操作される。
【００４２】
ＰＬＡＹ／ＰＡＵＳＥ／ＥＮＴＥＲキー２０６は、再生を開始させるため、録音又は再生を一時停止させるため、及び選択された項目を決定するために操作される。ＦＦ／選択キー２０７は、ファイルの再生位置を早送りするため、及びディスプレイ２０２に表示される項目を選択するために操作される。ＭＥＮＵキー２０８は、ディスプレイ２０２にＭＥＮＵ画面を表示させるために操作される。電源／ＨＯＬＤスイッチ２０９は、レコーダー１の電源をＯＮ／ＯＦＦするため、及びキー操作を無効にするために操作される。
【００４３】
図６Ｃに示されるように、本体２０の左側面には、ＭＩＣ  ＧＡＩＮダイヤル２１１、ＵＳＢ端子２１２、ＬＩＮＥ  ＯＵＴ端子２１３が設けられている。ＭＩＣ  ＧＡＩＮダイヤル２１１は、第１〜第４マイク素子１１〜１４から入力される音の増幅率を調整するために操作される。ＭＩＣ  ＧＡＩＮダイヤル２１１が操作されると、図８に示されるマイクゲイン（増幅器）２１の増幅率が変化する。
【００４４】
ＵＳＢ端子２１２は、レコーダー１を他の機器と電気的に接続するために用いられる。例えば、レコーダー１は、ＵＳＢ端子２１２を介して、図示しないパーソナルコンピュータ（ＰＣ）に電気的に接続され、オーディオインターフェース又はカードリーダーとして使用される。また、ＵＳＢ端子２１２には、レコーダー１にＡＣ電源を供給するための図示しないＡＣアダプターが接続される。ＬＩＮＥ  ＯＵＴ端子２１３は、他の機器に音声信号を出力するために用いられる。
【００４５】
図６Ｄに示されるように、本体２０の右側面には、ＶＯＬＵＭＥキー２１０及びＰＨＯＮＥ  ＯＵＴ端子２１６が設けられている。ＶＯＬＵＭＥキー２１０は、レコーダー１から出力される音の音量を調整するために操作される。ＰＨＯＮＥ  ＯＵＴ端子２１６は、図８及び図９に示されるヘッドホン３０を有線接続するために用いられる。
【００４６】
図７Ｂに示されるように、本体２０の底面には、裏蓋２１７が着脱自在に取り付けられている。裏蓋２１７は、本体２０内に収納されたＳＤカード２６（図８及び図９を参照）及び図示しない電池を交換するときに着脱される。さらに、裏蓋２１７の中心には、ねじ孔２１４が設けられている。レコーダー１は、ねじ孔２１４を介して、図示しない三脚に取り付けることができる。
【００４７】
＜内部構造＞
次に、本実施形態に係るレコーダー１の内部構造について、図８及び図９を参照しつつ説明する。レコーダー１は、アンビソニックスのための録音機能及び再生機能を備える。図８は、レコーダー１の録音のための構成を示すブロック図である。図９は、レコーダー１の再生のための構成を示すブロック図である。
【００４８】
＜＜録音のための構成＞＞
図８に示されるように、レコーダー１は、第１〜第４マイク素子１１〜１４、マイクゲイン２１、Ａ／Ｄ変換器２２、プロセッサ２４、６軸センサー２５、ディスプレイ２０２、ＳＤカード２６、Ｄ／Ａ変換器２７を備える。
【００４９】
第１〜第４マイク素子１１〜１４のそれぞれは、異なる４方向から音を収集し、第１信号を出力する。第１〜第４マイク素子１１〜１４から出力される４つの第１信号を纏めて、４チャンネルのＡフォーマット信号と呼ぶ。ここで、第１〜第４マイク素子１１〜１４の向きは、レコーダー１の設置状態によって変動するため、図１Ｂに示されるＦＬＵ、ＦＲＤ、ＢＬＤ、ＢＲＵに一致するとは限らない。そこで、図８において、第１〜第４マイク素子１１〜１４から出力される４つの第１信号は、「（ＦＬＵ）」、「（ＦＲＤ）」、「（ＢＲＵ）」、「（ＢＬＤ）」のように括弧書きで表示される。図８中の「（ＦＬＵ）」、「（ＦＲＤ）」、「（ＢＲＵ）」、「（ＢＬＤ）」の表示は、各第１信号を区別するために付されたものであり、各第１信号の元となる音が、実際のＦＬＵ、ＦＲＤ、ＢＬＤ、ＢＲＵの各方向から収集されたことを意味するものではない。各第１信号の元となる音は、レコーダー１の設置状態に応じて、ＦＬＵ、ＦＲＤ、ＢＬＤ、ＢＲＵ以外のあらゆる方向から収集される場合がある。
【００５０】
第１〜第４マイク素子１１〜１４から出力される４チャンネルのＡフォーマット信号は、マイクゲイン２１に入力される。マイクゲイン２１は、図６Ｃに示されるＭＩＣ  ＧＡＩＮダイヤル２１１によって設定された増幅率で、４チャンネルのＡフォーマット信号を増幅する。
【００５１】
マイクゲイン２１によって増幅された４チャンネルのＡフォーマット信号は、Ａ／Ｄ変換器２２に入力される。Ａ／Ｄ変換器２２は、アナログ信号であるＡフォーマット信号をデジタル信号に変換する。デジタル信号に変換されたＡフォーマット信号は、プロセッサ２４に入力される。
【００５２】
プロセッサ２４は、録音フォーマットの選択処理２４１Ａ、Ａ／Ｂフォーマット変換処理２４２、信号レベル監視処理２４３、Ｂフォーマット／ステレオ変換処理２４４、録音フォーマットの選択処理２４１Ｂを実行する。プロセッサ２４は、４チャンネルのＡフォーマット信号が入力されると、録音フォーマットの選択処理２４１Ａを実行する。録音フォーマットの選択処理２４１Ａにおいて、プロセッサ２４は、ユーザーによって指定された録音フォーマットに基づき、入力されたＡフォーマット信号をＡフォーマット又はＢフォーマットのいずれのデータ形式で記録するか選択する。プロセッサ２４は、Ｂフォーマットを選択した場合に、Ａ／Ｂフォーマット変換処理２４２を実行する。録音フォーマットの選択処理２４１Ａ以外の各処理２４２、２４３、２４４、２４１Ｂについては後述する。
【００５３】
プロセッサ２４は、６軸センサー２５、ディスプレイ２０２、ＳＤカード２６、Ｄ／Ａ変換器２７のそれぞれに電気的に接続される。６軸センサー２５は、加速度センサーとジャイロセンサーとで構成される。加速度センサーは、レコーダー１の本体２０の前後方向、左右方向及び上下方向の変位を検出し、本体２０の水平方向及び垂直方向の角度情報を出力する。一方、ジャイロセンサーは、本体２０の回転を検出し、回転方向の角度情報を出力する。６軸センサー２５から出力される水平方向、垂直方向及び回転方向の角度情報を纏めて位置情報と呼ぶ。６軸センサー２５から出力される位置情報は、プロセッサ２４に入力され、次に述べるＡ／Ｂフォーマット変換処理２４２に用いられる。
【００５４】
＜＜Ａ／Ｂフォーマット変換処理＞＞
プロセッサ２４は、入力された４チャンネルのＡフォーマット信号をＢフォーマットで記録する場合に、Ａ／Ｂフォーマット変換処理２４２を実行する。このＡ／Ｂフォーマット変換処理２４２において、プロセッサ２４は、６軸センサー２５によって検出された本体２０の位置情報に基づいて、第１〜第４マイク素子１１〜１４のそれぞれの収音方向を判別する。次いで、プロセッサ２４は、第１〜第４マイク素子１１〜１４のそれぞれの収音方向に基づいて、４チャンネルのＡフォーマット信号を４チャンネルのＢフォーマット信号に変換するための数式を選択する。その後、プロセッサ２４は、選択された数式に基づいて、第１〜第４マイク素子１１〜１４のそれぞれから出力された４つの第１信号を加減算し、Ｂフォーマット信号の要素となる４つの第２信号Ｗ、Ｘ、Ｙ、Ｚに変換する。
【００５５】
例えば、プロセッサ２４は、６軸センサー２５によって検出された本体２０の位置情報に基づいて、レコーダー１の設置状態が、図５Ａ〜図５Ｃに示される「Upright」、「Endfire」及び「Upside Down」のうちのいずれであるかを判別することが可能である。また、プロセッサ２４は、レコーダー１の設置状態に基づいて、第１マイク素子１１〜第４マイク素子１１〜１４のそれぞれの収音方向を判別することが可能である。
【００５６】
図５Ａにおいて、プロセッサ２４は、レコーダー１の設置状態が「Upright」であると判別した場合、第１マイク素子１１〜第４マイク素子１１〜１４のそれぞれの収音方向がＦＬＵ、ＦＲＤ、ＢＬＤ、ＢＲＵであると判別する。この場合、プロセッサ２４は、上記式（１）〜（４）を選択する。その後、プロセッサ２４は、上記式（１）〜（４）に基づいて、第１〜第４マイク素子１１〜１４から出力された４つの第１信号ＦＬＵ、ＦＲＤ、ＢＬＤ、ＢＲＵを加減算し、Ｂフォーマット信号の要素となる４つの第２信号Ｗ、Ｘ、Ｙ、Ｚに変換する。
【００５７】
図５Ｂにおいて、プロセッサ２４は、レコーダー１の設置状態が「Endfire」であると判別した場合、第１マイク素子１１〜第４マイク素子１１〜１４のそれぞれの収音方向がＦＬＤ、ＢＲＤ、ＢＬＵ、ＦＲＵであると判別する。この場合、プロセッサ２４は、上記式（５）〜（８）を選択する。その後、プロセッサ２４は、上記式（５）〜（８）に基づいて、第１〜第４マイク素子１１〜１４から出力された４つの第１信号ＦＬＤ、ＢＲＤ、ＢＬＵ、ＦＲＵを加減算し、Ｂフォーマット信号の要素となる４つの第２信号Ｗ、Ｘ、Ｙ、Ｚに変換する。
【００５８】
図５Ｃにおいて、プロセッサ２４は、レコーダー１の設置状態が「Upside Down」であると判別した場合、第１マイク素子１１〜第４マイク素子１１〜１４のそれぞれの収音方向がＦＲＤ、ＦＬＵ、ＢＲＵ、ＢＬＤであると判別する。この場合、プロセッサ２４は、上記式（１）〜（４）を選択する。その後、プロセッサ２４は、上記式（１）〜（４）に基づいて、第１〜第４マイク素子１１〜１４から出力された４つの第１信号ＦＲＤ、ＦＬＵ、ＢＲＵ、ＢＬＤを加減算し、Ｂフォーマット信号の要素となる４つの第２信号Ｗ、Ｘ、Ｙ、Ｚに変換する。
【００５９】
以上のように、Ａ／Ｂフォーマット変換処理２４２において、プロセッサ２４は、本体２０の位置情報に基づいて、レコーダー１の設置状態及び第１〜第４マイク素子１１〜１４のそれぞれの向きを判別し、正しい位置関係のＢフォーマット信号Ｗ、Ｘ、Ｙ、Ｚを算出するための演算処理を実行するのである。このようなＡ／Ｂフォーマット変換処理２４２によれば、レコーダー１が、図４に示される「Upright」、「Endfire」及び「Upside Down」のいずれかの向きに設置された場合でも、第１〜第４マイク素子１１〜１４によって収集された音を、正しい位置関係のＢフォーマット信号Ｗ、Ｘ、Ｙ、Ｚに変換することが可能となる。つまり、レコーダー１がどのような向きで設置された場合でも、Ａ／Ｂフォーマット変換処理２４２によって変換されたＢフォーマット信号Ｗ、Ｘ、Ｙ、Ｚは、録音時の音場を正しく再現する。
【００６０】
さらに、プロセッサ２４は、本体２０の位置情報に基づいて、ディスプレイ２０２に水準器の画像を表示させる。ディスプレイ２０２に表示される水準器は、２つの画像を含む。このうちの１つは、レコーダー１の外観を模式的に示す画像である。レコーダー１の画像は、本体２０の位置情報に基づいて垂直方向に傾き、本体２０の垂直度を視覚的に表示する。他の１つは、互いに交差する２軸の画像である。２軸の画像は、本体２０の位置情報に基づいて水平方向及び垂直方向に傾き、本体の水平度及び垂直度を視覚的に表示する。ユーザーは、ディスプレイ２０２に表示される水準器の画像を参照することにより、レコーダー１を正確に水平及び垂直に設置することができる。
【００６１】
＜＜信号レベル監視処理＞＞
プロセッサ２４は、Ａ／Ｂフォーマット変換処理２４２によって変換されたＢフォーマット信号Ｗ、Ｘ、Ｙ、Ｚに対して、信号レベル監視処理２４３を実行する。一方、プロセッサ２４は、Ａ／Ｄ変換器２２から入力された４チャンネルのＡフォーマット信号をそのまま記録する場合に、Ａフォーマット信号に対して、信号レベル監視処理２４３を実行する。
【００６２】
信号レベル監視処理２４３において、プロセッサ２４は、Ａ又はＢフォーマット信号の要素である４チャンネルの信号（第１又は第２信号）のそれぞれのレベルを検出し、検出された４つの信号レベルのそれぞれをディスプレイ２０２に表示させる。例えば、ディスプレイ２０２は、ＦＬＵ、ＦＲＤ、ＢＲＵ、ＢＬＤのそれぞれの信号レベルを示すインジケーターの画像を表示する。ユーザーは、インジケーターの画像を参照することにより、最適な信号レベルで録音が行われているか否かを監視することができる。
【００６３】
＜＜データの記録＞＞
プロセッサ２４は、信号レベル監視処理２４３を実行した後、録音フォーマットの選択処理２４１Ｂを実行し、Ａフォーマット信号又はＢフォーマット信号Ｗ、Ｘ、Ｙ、ＺのデータをＳＤカード２６に記録させる。
【００６４】
ここで、プロセッサ２４は、６軸センサー２５によって検出された本体２０の位置情報をＳＤカード２６に出力し、Ａフォーマット信号又はＢフォーマット信号Ｗ、Ｘ、Ｙ、Ｚのデータのメタデータとして、ＳＤカード２６に記録させる。記録された本体２０の位置情報は、録音時におけるレコーダー１の設置状態を特定するものであり、Ａフォーマット信号のデータを記録した場合に、特に重要な役割を果たす。
【００６５】
すなわち、ＳＤカード２６に記録されたＡフォーマット信号のデータは、レコーダー１又は上述したＡ／Ｂフォーマット変換処理２４２を実行するためのプログラムがインストールされた汎用のコンピュータによって再生することが可能である。レコーダー１のプロセッサ２４、又は汎用のコンピュータのプロセッサは、Ａ／Ｂフォーマット変換処理２４２を実行する際に、ＳＤカード２６に記録された本体２０の位置情報を参照することにより、Ａフォーマット信号のデータを、正しい位置関係のＢフォーマット信号Ｗ、Ｘ、Ｙ、Ｚに変換して再生することが可能となる。
【００６６】
さらに、プロセッサ２４は、記録フォーマットの種別に関する情報をＳＤカード２６に出力し、Ａフォーマット信号又はＢフォーマット信号Ｗ、Ｘ、Ｙ、Ｚのデータのメタデータとして、ＳＤカード２６に記録させる。記録フォーマットの種別に関する情報は、ＳＤカード２６に記録されたＡフォーマット信号又はＢフォーマット信号Ｗ、Ｘ、Ｙ、Ｚのデータを再生する際に参照される。
【００６７】
＜＜Ｂフォーマット／ステレオ変換処理＞＞
録音フォーマットとしてＢフォーマットが選択された場合、レコーダー１は、４チャンネルのＢフォーマット信号のうちのＷ、Ｘ、Ｙを２チャンネルのステレオ信号Ｌ、Ｒに変換し、録音状態をリアルタイムでモニターすることを可能とする。
【００６８】
プロセッサ２４は、Ａ／Ｂフォーマット変換処理２４２及び信号レベル監視処理２４３を実行した後、Ｂフォーマット／ステレオ変換処理２４４を実行する。Ｂフォーマット／ステレオ変換処理２４４において、プロセッサ２４は、下記式（９）、（１０）に基づいて、４チャンネルのＢフォーマット信号のうちのＷ、Ｘ、Ｙを加減算し、２チャンネルのステレオ信号の要素となる２つの第３信号Ｌ、Ｒに変換する。
【００６９】
Ｌ＝Ｗ＋Ｘ＋Ｙ・・・（９）
Ｒ＝Ｗ＋Ｘ−Ｙ・・・（１０）
【００７０】
但し、Ｌ：左の音声信号、Ｒ：右の音声信号、Ｗ：全方向の音の信号、Ｘ：前後方向の音の信号、Ｙ：左右方向の音の信号
【００７１】
Ｂフォーマット／ステレオ変換処理２４４によって変換された２チャンネルのステレオ信号Ｌ、Ｒは、Ｄ／Ａ変換器２７に入力される。Ｄ／Ａ変換器２７は、デジタル信号であるステレオ信号Ｌ、Ｒのそれぞれをアナログ信号に変換する。アナログ信号に変換されたステレオ信号Ｌ、Ｒは、ヘッドホン３０の左右のスピーカーから出力される。ユーザーは、ヘッドホン３０から出力されるステレオ音声を聴くことにより、レコーダー１の録音状態をリアルタイムでモニターすることができる。
【００７２】
なお、Ｂフォーマット／ステレオ変換処理２４４において、Ｂフォーマット信号をステレオ信号Ｌ、Ｒに変換するための数式は、上記式（９）、（１０）に限定されるものではない。本願の出願時において、Ｂフォーマット信号をステレオ信号Ｌ、Ｒに変換するための種々の数式が当業者に知られている。Ｂフォーマット／ステレオ変換処理２４４において、上記式（９）、（１０）以外の数式を用いて、Ｂフォーマット信号をステレオ信号Ｌ、Ｒに変換してもよい。
【００７３】
＜＜再生のための構成＞＞
次に、ＳＤカード２６に記録されたＡフォーマット信号又はＢフォーマット信号Ｗ、Ｘ、Ｙ、Ｚのデータを再生するための構成について、図９を参照しつつ説明する。
【００７４】
ＳＤカード２６に記録されたデータを再生する場合、プロセッサ２４は、録音フォーマットの選択処理２４１Ｃを実行する。録音フォーマットの選択処理２４１Ｃにおいて、プロセッサ２４は、メタデータとして記録された記録フォーマットの種別に関する情報を参照する。プロセッサ２４は、記録フォーマットの種別に関する情報に基づいて、ＳＤカード２６に記録されたデータがＡ又はＢフォーマット信号のいずれであるか判別する。
【００７５】
＜＜Ａ／Ｂフォーマット変換処理＞＞
ＳＤカード２６に記録されたデータがＡフォーマット信号である場合、プロセッサ２４は、図８に示される「録音」と同様のＡ／Ｂフォーマット変換処理２４２を実行する。但し、図９に示される「再生」のためのＡ／Ｂフォーマット変換処理２４２においては、ＳＤカード２６にメタデータとして記録された本体２０の位置情報が参照される。この点が、図８に示される「録音」のためのＡ／Ｂフォーマット変換処理２４２と相違する。
【００７６】
すなわち、図９に示される「再生」のためのＡ／Ｂフォーマット変換処理２４２において、プロセッサ２４は、録音時の本体２０の位置情報に基づいて、レコーダー１の設置状態及び第１〜第４マイク素子１１〜１４のそれぞれの向きを判別し、正しい位置関係のＢフォーマット信号Ｗ、Ｘ、Ｙ、Ｚを算出するための演算処理を実行する。図９に示されるＡ／Ｂフォーマット変換処理２４２によれば、ＳＤカード２６に記録されたＡフォーマット信号のデータは、録音時のレコーダー１の設置状態を考慮した、正しい位置関係のＢフォーマット信号Ｗ、Ｘ、Ｙ、Ｚに変換される。このＢフォーマット信号Ｗ、Ｘ、Ｙ、Ｚは、録音時の音場を正しく再現する。
【００７７】
＜＜Ｂフォーマット／ステレオ変換処理＞＞
ＳＤカード２６に記録されたデータがＢフォーマット信号Ｗ、Ｘ、Ｙ、Ｚである場合、プロセッサ２４は、Ｂフォーマット／ステレオ変換処理２４４を実行する。また、プロセッサ２４は、上述したＡ／Ｂフォーマット変換処理２４２によって、Ａフォーマット信号から変換されたＢフォーマット信号Ｗ、Ｘ、Ｙ、Ｚに対しても、Ｂフォーマット／ステレオ変換処理２４４を実行する。
【００７８】
Ｂフォーマット／ステレオ変換処理２４４において、プロセッサ２４は、上記式（９）、（１０）に基づいて、４チャンネルのＢフォーマット信号のうちのＷ、Ｘ、Ｙを加減算し、２チャンネルのステレオ信号の要素となる２つの第３信号Ｌ、Ｒに変換する。
【００７９】
ここで、図９に示される「再生」のためのＢフォーマット／ステレオ変換処理２４４は、図８に示される録音状態を「モニター」するためのＢフォーマット／ステレオ変換処理２４４と相違する。すなわち、図９に示されるＢフォーマット／ステレオ変換処理２４４は、データの再生中にリアルタイムで実行される。また、６軸センサー２５によって検出される本体２０の位置情報も、データの再生中にリアルタイムで更新される。したがって、Ｂフォーマット／ステレオ変換処理２４４によって変換されたステレオ信号Ｌ、Ｒは、本体２０の変位に伴って、前後（Ｘ）、左右（Ｙ）、上下（Ｚ）の全方位のうちの任意の方向に指向特性を変化させる。
【００８０】
Ｂフォーマット／ステレオ変換処理２４４によって変換された２チャンネルのステレオ信号Ｌ、Ｒは、Ｄ／Ａ変換器２７に入力される。Ｄ／Ａ変換器２７は、デジタル信号であるステレオ信号Ｌ、Ｒのそれぞれをアナログ信号に変換する。アナログ信号に変換されたステレオ信号Ｌ、Ｒは、ヘッドホン３０の左右のスピーカーから出力される。ユーザーは、本体２０を変位させることにより、ヘッドホン３０から出力されるステレオ音声の定位を自由に変更することが可能となる。
【００８１】
＜再生ソフトウェアの応用＞
図９に示されるＡ／Ｂフォーマット変換処理２４２、及びＢフォーマット／ステレオ変換処理２４４をプロセッサに実行させるための再生ソフトウェアは、汎用のコンピュータに応用することが可能である。
【００８２】
再生ソフトウェアは、例えば、インターネット回線に接続されたサーバーに保存され、インターネット回線を介して、汎用のコンピュータに提供される。再生ソフトウェアがインストールされることにより、汎用のコンピュータは、本実施形態のレコーダー１によって記録されたＡフォーマット信号又はＢフォーマット信号Ｗ、Ｘ、Ｙ、Ｚのデータを再生可能となる。
【００８３】
特に、再生ソフトウェアがインストールされる汎用のコンピュータは、スマートフォン、タブレットＰＣ、携帯型音楽プレーヤー、携帯型ゲーム機などの６軸センサーを備えたモバイルデバイスであることが好ましい。ユーザーは、モバイルデバイスを変位させることにより、再生されるステレオ音声の定位を自由に変更することができ、アンビソニクックスを気軽に楽しむことが可能となる。
【符号の説明】
【００８４】
１  レコーダー
１０  マイクロホン
１１  第１マイク素子
１２  第２マイク素子
１３  第３マイク素子
１４  第４マイク素子
１５  プロテクター
２０  本体
２０１Ａ、２０１Ｂ  ＲＥＣ  ＬＥＤ
２０２  ディスプレイ（画像表示装置）
２０３  ＲＥＣキー
２０４  ＳＴＯＰ／ＨＯＭＥキー
２０５  ＲＥＷ／選択キー
２０６  ＰＬＡＹ／ＰＡＵＳＥ／ＥＮＴＥＲキー
２０７  ＦＦ／選択キー
２０８  ＭＥＮＵキー
２０９  電源／ＨＯＬＤスイッチ
２１０  ＶＯＬＵＭＥキー
２１１  ＭＩＣ  ＧＡＩＮダイヤル
２１２  ＵＳＢ端子
２１３  ＬＩＮＥ  ＯＵＴ端子
２１４  ねじ孔
２１５  ＲＥＭＯＴＥ端子
２１６  ＰＨＯＮＥ  ＯＵＴ端子
２１７  裏蓋
２１  マイクゲイン
２２  Ａ／Ｄ変換器
２３Ａ、２３Ｂ、２３Ｃ  選択スイッチ
２４  プロセッサ
２４１Ａ〜２４１Ｃ  記録フォーマット選択処理
２４２  Ａ／Ｂフォーマット変換処理
２４３  信号レベル監視処理
２４４  Ｂフォーマット／ステレオ変換処理
２５  ６軸センサー
２６  ＳＤカード（メモリー）
２７  Ｄ／Ａ変換器
３０  ヘッドホン
【図１】
2020057987.tif 000003
【図２】
2020057987.tif 000004
【図３】
2020057987.tif 000005
【図４】
2020057987.tif 000006
【図５】
2020057987.tif 000007
【図６】
2020057987.tif 000008
【図７】
2020057987.tif 000009
【図８】
2020057987.tif 000010
【図９】
2020057987.tif 000011